(57)【特許請求の範囲】
【請求項１】
ダクト（Ｄ）を建物の躯体壁（Ｗｓ）を貫通して設け、そのダクト（Ｄ）の躯体壁（Ｗｓ）貫通部には、侵入防止装置（４）が接続されてなる、侵入防止装置を備えたダクト構造において、
前記侵入防止装置（４）は、前後ダクト（１，２）に接続されるケーシング（８）と、そのケーシング（８）に、その長手方向と直交する方向に設けられる侵入防止棒（９）とよりなり、前記侵入防止棒（９）は、チタン系材料等の高硬度材料により構成されて、その両端を前記ケーシング（８）の壁面を貫通させ、その侵入防止棒（９）の両端を、前記躯体壁（Ｗｓ）とケーシング（８）との間に充填される充填材（１４）内に埋設したことを特徴とする、侵入防止装置を備えたダクト構造。
【発明の詳細な説明】
【０００１】
【発明の属する技術分野】
本発明は、ダクトを通って侵入者が建物内に侵入するのを防止するようにした、侵入防止装置を備えたダクト構造に関するものである。
【０００２】
【従来の技術】
従来、建物に配設される空調用等のダンパ付のダクト等は、そのエア通路の断面積が比較的大きいので、心ない者がこのダクトを通って建物内に侵入するおそれがある。
【０００３】
そこで従来より図６に示すように、ダクトＤ′の、建物の躯体壁Ｗｓを貫通するケーシング０８に、複数本の鉄棒よりなる侵入防止棒０９を柵状に固定した、侵入防止装置０４を設けたものが知られている。
【０００４】
【発明が解決しようとする課題】
ところでかかる従来の侵入防止用ダクトでは、複数本の侵入防止棒である鉄棒は、ケーシングの内壁に溶接等により固着されるが、その鉄棒が侵入者によって切断、破壊されないほどの硬度を有せず、また部分的な腐蝕などにより、侵入者はこれらの鉄棒をケーシングから外したり、金のこ、やすり等で切断したりして侵入防止装置を破壊し、建物内に侵入するおそれがあるという課題がある。
【０００５】
本発明はかかる実状に鑑みてなされたものであり、侵入防止棒を侵入者により外されたり、切断されたりすることがないようにして、前記課題を解決するとともにこの侵入防止装置の複数本の侵入防止棒を突っ張り部材として機能させ、侵入防止装置自体を補強できるようにした、新規な侵入防止装置を備えたダクトを提供することを目的とするものである。
【０００６】
【課題を解決するための手段】
前記目的達成のため、本発明によれば、ダクトを建物の躯体壁を貫通して設け、そのダクトの躯体壁貫通部には、侵入防止装置が接続されてなる、侵入防止装置を備えたダクト構造において、
前記侵入防止装置は、前後ダクトに接続されるケーシングと、そのケーシングに、その長手方向と直交する方向に設けられる侵入防止棒とよりなり、前記侵入防止棒は、チタン系材料等の高硬度材料により構成されて、その両端を前記ケーシングの壁面を貫通させ、その侵入防止棒の両端を、前記躯体壁とケーシングとの間に充填される充填材内に埋設したことを特徴としており、かかる特徴によれば、複数本の侵入防止棒は、侵入者により外されたり、切断されたりすることがなく、侵入者の侵入を未然に防止することができ、また高硬度材料よりなる侵入防止棒は、突っ張り部材として機能し、侵入防止装置自体の強度が従来のものに比べて大幅に高められる。
【０００７】
なお、前記チタン系材料とは、純チタン、チタン合金材料をいう。
【０００８】
【発明の実施の形態】
以下、本発明の実施の形態を、添付図面に示した本発明の一実施例について説明する。
【０００９】
この実施例は本発明をダンパ付ダクトに実施した場合であって、図１は、侵入防止装置を備えたダンパ付ダクトの側面図、図２は図１の２−２線に沿う拡大断面図、図３は、図２の３−３線に沿う断面図、図４は、図３の４矢視部の拡大図、図５は、図４の５−５線に沿う断面図である。
【００１０】
図１において、ダンパ付ダクトＤは、前、後のダクト１，２の間に、ダンパ３と、侵入防止装置４とが連結ボルトにより一列に接続されて構成される。前記ダンパ３は従来公知のもので、横断面四角なダンパ枠５内に，ダンパ羽根６が開閉可能に軸支され、このダンパ羽根６の開閉制御により、ダンパ付ダクトＤ内を流れる空調エア等のエアの流量が調整される。
【００１１】
なお、ダンパ３は従来公知のものであるので、その詳細な説明を省略する。
【００１２】
後に詳述する侵入防止装置４は、建物の躯体壁Ｗｓを貫通してその躯体壁Ｗｓに充填材１４を介して固定支持される。
【００１３】
次に図１〜５を参照して侵入防止装置４の構造について詳細に説明するに、これはケーシング８と、これに取り付けられる複数の侵入防止棒９，９とより構成され、前記ケーシング８は、鋼板により前記前、後ダクト１，２と略同じ四角な通路断面積を有して角筒状に形成されており、また各侵入防止棒９は、チタン系材料（ＪＩＳ１種〜４種）、ステンレス鋼（ＳＵＳ４４０Ｃ）等の高硬度、高融点、耐蝕性金属材により、細長い棒状に形成されている。複数の侵入防止棒９，９は、互いに平行に並列されて、ケーシング８の中央部を上下方向に貫通しており、各侵入防止棒９の上下両端部は、図２〜４に示すようにケーシング８の上、下壁８1 ，８2 に穿設した通孔ｈ，ｈを貫通して外部に突出される。そして各侵入防止棒９の上下端部両側には、上、下壁８1 ，８2 を挟んで井げた状に配置される、各対の角筒状内、外取付ブロック１０，１０，１１，１１が溶接ｗされる。これにより複数の侵入防止棒９，９はケーシング８の所定位置に取り付けられる。内、外取付ブロック１０，１０，１１，１１は、侵入防止棒９と同一材料により構成してそれらの溶接が確実に行なわれる。
【００１４】
侵入防止棒９の内、外壁８1 ，８2 の貫通部には、通孔ｈをシールするためシリコン等のシール材ｓが充填される。
【００１５】
ケーシング８の両端には、ダクト１，２  あるいはダンパ３に接続される接続フランジ１５，１６が一体に設けられ、さらにその中間部には、補強フランジ１７が一体に設けられている。
【００１６】
前記ケーシング８の外周面には、その一側に偏らせて幅の広い取付フランジ１２が溶接されており、図３に示すように、ケーシング８を躯体壁Ｗｓに開口した取付孔１３に挿入して取り付けた際に、その幅の広い取付フランジ１２は、躯体壁Ｗｓの一側に係合して侵入防止装置４の躯体壁Ｗｓに対する位置決めがなされる。
【００１７】
侵入防止装置４を建物の躯体壁Ｗｓに固定支持させるには、ケーシング８を躯体壁Ｗｓの取付孔１３に挿入して前述のように取付フランジ１２を躯体壁Ｗｓに係合してその長手方向の位置決めをしたのち、躯体壁Ｗｓの取付孔１３と、ケーシング８との間隙にモルタル、コンクリート等の充填材１４を充填、凝固させれば、侵入防止装置４は、躯体壁Ｗｓを貫通してそこに堅固に固着される。そして侵入防止棒９，９の両端は、外側取付ブロック１１，１１とともに充填材１４内に一体に埋設されて、その充填材１４と一体化される。
【００１８】
図１に示すように侵入防止装置４の前端には前記ダンパ３、前ダクト１が順に接続され、またその後端には後ダクト２が接続される。
【００１９】
ところで前記侵入防止棒９，９は、チタン系材料、ステンレス材料等の高硬度、高融点、耐蝕性材料により構成され、しかもその両端は侵入防止装置４を貫通して充填材１４に埋設され、それと強固に一体化されるので、侵入防止棒９，９は、侵入者により外されたり、切断されたりするおそれがなく、侵入者の、躯体壁Ｗｓ内方への侵入を未然に防止することができる。
【００２０】
また侵入防止棒９，９は高硬度材料により構成されることにより、突っ張り作用を有して侵入防止装置４自体の強度が一層高められ、躯体壁Ｗｓからの荷重に対抗することができ、その変形等を防止することができる。
【００２１】
以上、本発明の一実施例について説明したが、本発明はその実施例に限定されることなく、本発明の範囲内で種々の実施例が可能である。たとえば前記実施例では本発明をダンパ付ダクトに実施した場合を説明したが、これをダンパのないダクトにも実施することができる勿論であり、また前記実施例ではダクトを構成する前後ダクト、ダンパおよび侵入防止装置は、横断面四角形に形成されるが、それらを円形その他の断面形状に形成してもよい。また侵入防止棒は、チタン系材料、ステンレス材料に代えて、これらと同等の高硬度、高融点、耐蝕性を有する材料により構成してもよい。
【００２２】
【発明の効果】
以上のように本発明によれば、侵入防止装置を備えたダクトにおいて、侵入防止装置は、前後ダクトの接続されるケーシングと、そのケーシングにその長手方向と直交する方向に設けられる侵入防止棒とよりなり、前記侵入防止棒は、チタン系材料等の高硬度材料により構成されて、その両端を前記ケーシングの壁面を貫通させ、前記躯体壁とダクトとの間に充填される充填材内に埋設したので、侵入防止棒は、侵入者により外されたり、切断されたりすることがなく、侵入者の侵入を未然に防止することができ、また高硬度材料よりなる侵入防止棒は、突っ張り部材として機能し、侵入防止装置自体の強度を、従来のものよりも大幅に高めることができる。
【図面の簡単な説明】
【図１】侵入防止装置を備えたダンパ付ダクトの側面図
【図２】図１の２−２線に沿う断面図
【図３】図２の３−３線に沿う断面図
【図４】図３の４線矢視部の拡大図
【図５】図４の５−５線に沿う断面図
【図６】従来の侵入防止装置を備えたダンパ付ダクトの要部縦断側面図
【符号の説明】
１・・・・・前ダクト
２・・・・・後ダクト
３・・・・・ダンパ
４・・・・・侵入防止装置
８・・・・・ケーシング
９・・・・・侵入防止棒
１４・・・・充填材
Ｄ・・・・・ダクト（ダンパ付ダクト）
Ｗｓ・・・・躯体壁
【図１】
0003853913.tif 000002
【図２】
0003853913.tif 000003
【図３】
0003853913.tif 000004
【図４】
0003853913.tif 000005
【図５】
0003853913.tif 000006
【図６】
0003853913.tif 000007